(57)【要約】【課題】高出力動作を行う発光装置における放熱特性を向上できるようにする。【解決手段】発光装置は、基板２と、基板２の上に配置された発光素子１と、基板２の上に配置され、発光素子１を覆うと共に、その少なくとも一部が基板２と接続された放熱層４とを有している。放熱層４は、発光素子１の上面を露出する開口部４ａを有し、放熱層４における開口部４ａの縁部は、発光素子１の上面と接続されている。【選択図】図１
2014127679.tif 000002
【特許請求の範囲】
【請求項１】
基板と、
前記基板の上に配置された発光素子と、
前記基板の上に配置され、前記発光素子を覆うと共に、その少なくとも一部が前記基板と接続された放熱層とを備え、
前記放熱層は、前記発光素子の上面を露出する開口部を有し、
前記放熱層における前記開口部の縁部は、前記発光素子の上面と接続されていることを特徴とする発光装置。
【請求項２】
前記開口部の開口面積は、前記発光素子の上面の面積よりも小さいことを特徴とする請求項１に記載の発光装置。
【請求項３】
前記放熱層における前記開口部の縁部は、前記発光素子の上面と接着層を介して接続されていることを特徴とする請求項１又は２に記載の発光装置。
【請求項４】
前記基板には、第１のビアが形成され、
前記放熱層は、前記第１のビアと接続されていることを特徴とする請求項１から３のいずれか１項に記載の発光装置。
【請求項５】
前記放熱層における前記開口部の断面形状は、前記放熱層の下面から上面に向かって狭くなるテーパ状であることを特徴とする請求項１から４のいずれか１項に記載の発光装置。
【請求項６】
前記基板の上における前記発光素子の側方の領域には反射層が配置され、
前記反射層は、前記発光素子の側面の少なくとも一部と接していることを特徴とする請求項１から５のいずれか１項に記載の発光装置。
【請求項７】
前記放熱層における前記開口部の内側には、前記発光素子からの光を受け、受けた光の波長を変換する波長変換層が配置され、
前記波長変換層の側面は、前記放熱層と接していることを特徴とする請求項１から６のいずれか１項に記載の発光装置。
【請求項８】
前記放熱層における前記発光素子の側方の領域には、該放熱層を表裏方向に貫く貫通孔が設けられていることを特徴とする請求項１から７のいずれか１項に記載の発光装置。
【請求項９】
前記基板には、複数の前記発光素子が配置され、
前記放熱層は、前記各発光素子の上面とそれぞれ接していることを特徴とする請求項１から８のいずれか１項に記載の発光装置。
【請求項１０】
前記基板における前記発光素子同士の間の領域に、第２のビアが形成されており、
前記発光素子同士の間の領域において、前記第２のビアと前記放熱層とが接続されていることを特徴とする請求項９に記載の発光装置。
【請求項１１】
前記放熱層は、一体に形成された部材であることを特徴とする請求項１から１０のいずれか１項に記載の発光装置。
【請求項１２】
基板に、表裏方向に貫通する少なくとも２つの第１の貫通孔を互いに間隔をおいて形成する工程と、
前記第１の貫通孔に、前記基板よりも熱伝導率が高い部材を配することにより、ビアを形成する工程と、
前記基板の上における前記ビア同士の間の領域に、発光素子を前記ビアから間隔をおいて固着する工程と、
前記基板の上に、前記発光素子の上面と対向する領域に開口部を有する共に、前記発光素子の外側でその表裏方向に貫通する第２の貫通孔を設けた放熱層を、前記開口部の縁部が前記発光素子の上面と接し且つその少なくとも一部が前記ビアと接するように保持する工程と、
前記第２の貫通孔から、光を反射する反射粒子を含有した樹脂材を充填することにより、前記基板の上における前記発光素子の側方の領域に反射層を設ける工程とを備えていることを特徴とする発光装置の製造方法。
【請求項１３】
前記放熱層の前記開口部に、前記発光素子からの光を受け、受けた光の波長と異なる波長の光を発する波長変換層を形成する工程をさらに備えていることを特徴とする請求項１２に記載の発光装置。
【発明の詳細な説明】
【技術分野】
【０００１】
本発明は、発光ダイオード（ＬＥＤ：lｉｇｈｔ ｅｍｉｔｔｉｎｇ ｄｉｏｄｅ）等の発光素子を備えた発光装置及びその製造方法に関する。
【背景技術】
【０００２】
近年、車載用途及び照明用途等の光源としてＬＥＤを用いるＬＥＤ発光装置が用いられ、このＬＥＤ発光装置には、比較的に高い出力が必要とされている。さらに、ＬＥＤ発光装置は、高出力動作時の高温環境下において、発光素子及び波長変換材料における発光効率が低下することから、その発光特性が劣化するため、高い放熱構造が必要とされる。例えば、下記の特許文献１には、基板上に搭載された発光素子と、該発光素子を覆うように形成された樹脂と、該樹脂の側面と接触する異方性熱伝導材とを備えた半導体発光装置が記載されている。該半導体発光装置は、異方性熱伝導材が樹脂から離れた位置で基板と接続されることにより、放熱性を高める構造としている。
【先行技術文献】
【特許文献】
【０００３】
【特許文献１】特開２０１１−１１９４５９号公報
【発明の概要】
【発明が解決しようとする課題】
【０００４】
しかしながら、特許文献１に記載された従来の半導体発光装置の構成には、以下のような問題がある。
【０００５】
従来の半導体発光装置は、発光素子の上面及び側面を樹脂で覆っているため、異方性熱伝導材による放熱効果（いわゆる、熱引き効果）は、樹脂の側面からとなる。すなわち、特許文献１に記載の半導体発光装置は、発光素子から離れた基板に、樹脂を介した異方性熱伝導材によって熱を伝えている。このため、従来の半導体発光装置の構造では、発光素子の放熱特性を向上させることが困難である。
【０００６】
本発明は、前記の問題を解決し、高出力動作を行う発光装置における放熱特性を向上することができるようにすることを目的とする。
【課題を解決するための手段】
【０００７】
前記の目的を達成するため、本発明は、発光装置を、発光面を露出する開口部が設けられた放熱層を発光素子の上面で接するように覆うと共に端部が基板と接続された構成とする。
【０００８】
具体的に、本発明に係る発光装置は、基板と、基板の上に配置された発光素子と、基板の上に配置され、発光素子を覆うと共に、その少なくとも一部が基板と接続された放熱層とを備え、放熱層は、発光素子の上面を露出する開口部を有し、放熱層における開口部の縁部は、発光素子の上面と接続されている。
【０００９】
本発明の発光装置によると、発光素子を覆うと共にその少なくとも一部が基板と接続された放熱層は、発光素子の上面を露出する開口部を有し、該放熱層における開口部の縁部が発光素子の上面と接続されている。このように、放熱層は、発光素子における発光面を覆うことなく発光素子の上面と接続されているため、発光素子との間で熱伝導路が直接的に形成されるため、放熱特性を確実に向上することができる。
【００１０】
本発明の発光装置において、開口部の開口面積は、発光素子の上面の面積よりも小さくてもよい。このようにすると、発光素子からの発光光の横方向への無駄な拡がりを抑制できるので、シャープエッジな配光特性を得ることができる。ここで、シャープエッジとは、発光素子の上面の法線方向（光軸方向）に対して、低い角度領域の発光光を極力抑えた配光特性の形態を指す。
【００１１】
本発明の発光装置において、放熱層における開口部の縁部は、発光素子の上面と接着層を介して接続されていてもよい。
【００１２】
本発明の発光装置において、基板には、第１のビアが形成され、放熱層は第１のビアと接続されていてもよい。このようにすると、第１の放熱用ビアから基板の裏面に効率良く放熱することができる。
【００１３】
本発明の発光装置において、放熱層における開口部の断面形状は、放熱層の下面から上面に向かって狭くなるテーパ状であってもよい。
【００１４】
本発明の発光装置において、基板の上における発光素子の側方の領域には反射層が配置され、反射層は発光素子の側面の少なくとも一部と接していてもよい。
【００１５】
本発明の発光装置において、放熱層における開口部の内側には、発光素子からの光を受け、受けた光の波長を変換する波長変換層が配置され、波長変換層の側面は、放熱層と接していてもよい。このようにすると、波長変換層の放熱性を向上することができる。
【００１６】
本発明の発光装置において、放熱層における発光素子の側方の領域には、該放熱層を表裏方向に貫く貫通孔が設けられていてもよい。
【００１７】
本発明の発光装置において、基板には、複数の発光素子が配置され、放熱層は、各発光素子の上面とそれぞれ接していてもよい。
【００１８】
この場合に、基板における発光素子同士の間の領域に、第２のビアが形成されており、発光素子同士の間の領域において、第２のビアと放熱層とが接続されていてもよい。
【００１９】
本発明の発光装置において、放熱層は、一体に形成された部材であってもよい。
【００２０】
本発明に係る発光装置の製造方法は、基板に、表裏方向に貫通する少なくとも２つの第１の貫通孔を互いに間隔をおいて形成する工程と、第１の貫通孔に、基板よりも熱伝導率が高い部材を配することによりビアを形成する工程と、基板の上におけるビア同士の間の領域に、発光素子をビアから間隔をおいて固着する工程と、基板の上に、発光素子の上面と対向する領域に開口部を有する共に、発光素子の外側でその表裏方向に貫通する第２の貫通孔を設けた放熱層を、開口部の縁部が発光素子の上面と接し且つその少なくとも一端がビアと接するように保持する工程と、第２の貫通孔から、光を反射する反射粒子を含有した樹脂材を充填することにより、基板の上における発光素子の側方の領域に反射層を設ける工程とを備えている。
【００２１】
本発明の発光装置の製造方法は、放熱層の開口部に、発光素子からの光を受け、受けた光の波長と異なる波長の光を発する波長変換層を形成する工程をさらに備えていてもよい。
【発明の効果】
【００２２】
本発明に係る発光装置及びその製造方法によると、高出力動作を行う発光装置における放熱特性を向上することができる。
【図面の簡単な説明】
【００２３】
【図１】図１（ａ）及び図１（ｂ）は第１の実施形態に係る発光装置を示し、図１（ａ）は平面図であり、図１（ｂ）は図１（ａ）のＩｂ−Ｉｂ線における断面図である。
【図２】図２は第１の実施形態の一変形例に係る発光装置を示す断面図である。
【図３】図３（ａ）〜図３（ｅ）は第１の実施形態に係る発光装置の製造方法を示す工程順の断面図である。
【図４】図４（ａ）〜図４（ｄ）は第１の実施形態の一変形例に係る発光装置の製造方法を示す工程順の断面図である。
【図５】図５（ａ）及び図５（ｂ）は第２の実施形態に係る発光装置を示し、図５（ａ）は平面図であり、図５（ｂ）は図５（ａ）のＶｂ−Ｖｂ線における断面図である。
【図６】図６（ａ）〜図６（ｅ）は第２の実施形態に係る発光装置の製造方法を示す工程順の断面図である。
【図７】図７（ａ）及び図７（ｂ）は第３の実施形態に係る発光装置を示し、図７（ａ）は平面図であり、図７（ｂ）は図７（ａ）のVIIｂ−VIIｂ線における断面図である。
【図８】図８（ａ）及び図８（ｂ）は第３の実施形態の第１変形例に係る発光装置を示し、図８（ａ）は平面図であり、図８（ｂ）は図８（ａ）のVIIIｂ−VIIIｂ線における断面図である。
【図９】図９（ａ）及び図９（ｂ）は第３の実施形態の第２変形例に係る発光装置を示し、図９（ａ）は平面図であり、図９（ｂ）は図９（ａ）のIXｂ−IXｂ線における断面図である。
【発明を実施するための形態】
【００２４】
（第１の実施形態）
第１の実施形態に係る発光装置について、図１（ａ）及び図１（ｂ）を参照しながら説明する。
【００２５】
図１（ａ）及び図１（ｂ）に示すように、本実施形態に係る発光装置は、少なくとも主面上に所望の配線及び接続端子が形成された基板２における該主面上に、ＬＥＤ等からなる発光素子１が複数のバンプ７によって接合されている。
【００２６】
基板２の上の発光素子１の周囲には、反射層６が例えばその上面を発光素子１の上面と揃うように形成されている。反射層６は、発光素子１の側面と接して形成され、横方向（発光素子１の上面に平行な方向）への発光を反射して、発光素子１の上面の法線方向への出力を向上させる。
【００２７】
基板２の上には、発光素子１の上面と対向する領域に開口部４ａを有する放熱層４が、開口部４ａの縁部が発光素子１の上面の周縁部と接し、且つその端部が基板１の上面と接するように固着されている。開口部４ａには、波長変換層３が充填されて形成されている。波長変換層３は、発光素子１からの発光光が入力され、入力された発光光の波長と異なる波長の光を放射するだけでなく、その側面から発光素子１の熱を放熱層４へと放熱する。ここで、放熱層４は、一体に形成された部材を用いることができる。
【００２８】
基板２における放熱層４の端部と接する領域には、基板２を表裏方向に貫通する放熱用ビア５が形成されている。
【００２９】
この構成により、本実施形態に係る発光装置を構成する放熱層４は、発光素子１の上面の一部と直接に接することにより、基板２における発光素子１の直下の領域への放熱だけでなく、発光素子１の上面からも放熱することが可能となる。
【００３０】
その上、本実施形態に係る放熱層４は、その端部が基板２及び該基板２に設けられた放熱用ビア５と接続されることにより、基板２の下側へも効率良く放熱することができる。
【００３１】
ここで、放熱層４に設けられた、発光素子１の発光面である上面を露出する開口部４ａは、発光素子１の上面の面積よりも小さい。すなわち、放熱層４は、開口部４ａの周縁部で発光素子１における発光面の周縁部を覆う構造を持つ。これにより、発光素子１から出射される光の配光の拡がりが抑えられるので、シャープエッジな配光特性を得ることができる。従って、例えば、高放熱特性が求められる車載用ヘッドランプ等への適応が可能となる。
【００３２】
発光素子１には、例えば窒化ガリウム（ＧａＮ）系の青色ＬＥＤを用いることができる。但し、ＧａＮ系に限られず、他の化合物半導体を用いた青色ＬＥＤでもよく、また、他の色の光を発光するＬＥＤでもよい。さらには、有機ＥＬ（ｏｒｇａｎｉｃ ｅｌｅｃｔｒｏ-ｌｕｍｉｎｅｓｃｅｎｃｅ）等のＬＥＤ以外の発光素子を用いてもよい。実装方法としては、公知の手法である、例えば金（Ａｕ）からなるバンプ７等を用いて接続することができる。
【００３３】
基板２には、セラミック若しくは窒化アルミニウム（ＡｌＮ）等からなる基板、金属フレーム、又はシリコン（Ｓｉ）等からなる接続端子若しくは回路が形成された回路基板を用いることができる。
【００３４】
放熱用ビア５は、実装される発光素子１の幅寸法よりも大きい間隔で設けられている。放熱用ビア５は、基板２に設けられたビアホール（ｖｉａ ｈｏｌｅ）２ａに、銅（Ｃｕ）、アルミニウム（Ａｌ）又は金（Ａｕ）等の、熱伝導性に優れた金属を形成することにより構成される。なお、放熱用ビア５は、図１（ｂ）に示すように、基板２を表裏方向に貫く単一のビアから形成されていてもよく、また、複数のビア及び複数の配線を組み合わせて構成されていてもよい。
【００３５】
放熱層４の開口部４ａに形成される波長変換層３は、その高さが放熱層４の上面よりも高くても低くても構わない。但し、放熱特性と光学特性とを考慮した場合、放熱層４の上面と同等で且つ平坦であることが望ましい。波長変換層３の材料としては、蛍光体を含む有機樹脂又は無機材料等を適用することができる。波長変換層３に蛍光体を添加する場合は、例えばＹＡＧ（イットリウム アルミニウム ガーネット）系蛍光体若しくは希土類（セリウム、ランタノイド）蛍光体を混合した蛍光体含有樹脂、又は無機材料を用いることができる。特に、車載用等の高出力用途の場合は、ガラス又はセラミック等の無機材料を用いることができる。なお、発光素子１からの発光光の波長を変換する必要がない場合には、波長変換層３には、必ずしも波長変換用の蛍光体等を添加する必要はない。
【００３６】
放熱層４における開口部４ａの周縁部の下面は、発光素子１の上面の周縁部と接着層を介して接していてもよい。接着層に用いる接着材には、例えばシリコーン樹脂等の耐熱性及び耐光性に優れた熱硬化性樹脂等を用いることができる。また、接着層の厚さは、放熱性を高めるために、できる限り薄くすると良い。また、放熱層４の材料には、Ｃｕ、Ａｌ又はＡｕ等の熱伝導性に優れた金属を用いることができる。また、これらは、非透明材料であることも、シャープエッジな配光特性を得るためには重要となる。
【００３７】
反射層６は、発光素子１の側面に設けることにより、横方向への発光の損失が軽減され、発光素子１の上面の法線方向における出力の向上を図ることができる。その際、発光素子１の側面と反射層６との隙間は小さいほど良く、さらには、その隙間は無いほうが良い。また、反射層６は、バンプ７で接続された基板２の主面と発光素子１の下面との隙間にも設けることにより、発光素子１の下方への発光の損失を軽減することができる。
【００３８】
反射層６の構成材料としては、光を反射する反射粒子を含む有機樹脂等を適用できる。反射粒子としては、二酸化チタン（ＴｉＯ２）等の、可視光領域において高反射率である材料を用いることができる。
【００３９】
（第１の実施形態の一変形例）
図２に、第１の実施形態の一変形例を示す。
【００４０】
図２に示すように、放熱層４の開口部４ａにおける縁部の断面形状が、放熱層４の下面から、すなわち発光素子１の上面から放熱層４の上面に向かって狭くなるテーパ状としている。ここでの断面は、発光素子１の上面における法線方向の断面である。このようにすると、発光素子１の上面における法線方向への光の取り出し効率が向上して、シャープエッジな配光特性の向上と、全光束の向上との両立を図ることができる。
【００４１】
なお、放熱層４の開口部４ａにおける縁部の断面形状は、図１及び図２に示した形状に限られない。
【００４２】
（第１の実施形態の製造方法）
以下、第１の実施形態に係る発光装置の製造方法の一例について、図３（ａ）〜図３（ｅ）を参照しながら説明する。
【００４３】
まず、図３（ａ）に示すように、基板２における発光素子３の搭載位置を挟む領域に、少なくとも２つのビアホール２ａを発光素子３の搭載位置からそれぞれ間隔をおいて形成する。その後、形成されたビアホール２ａの内部に、Ｃｕ、Ａｌ又はＡｕ等の金属材料を、めっきにより又は充填することにより、放熱用ビア５を形成する。
【００４４】
次に、図３（ｂ）に示すように、基板２の主面上に発光素子１を載置し、Ａｕからなる複数のバンプ７によって、基板２の主面に形成された端子等と接合する。
【００４５】
次に、図３（ｃ）に示すように、基板２の主面上における発光素子１の周囲の領域に、該発光素子１の各側面と密着するように反射層６を形成する。反射層６は、その上面が発光素子１の上面と同等の高さとなるように形成する。
【００４６】
次に、図３（ｄ）に示すように、基板２の主面上に、発光素子１の上面と対向する領域に開口部４ａを有し、例えばＣｕ、Ａｌ又はＡｕ等からなる放熱層４を載置する。放熱層４は、発光素子１及び反射層６を覆う部分の下面が発光素子１及び反射層６と同等の高さとなり、その端部が基板２の主面と接続されるように加工する。また、開口部４ａの開口面積は、発光素子１の上面の面積よりも小さくなるように形成する。放熱層４における開口部４ａの周縁部の下面に接着材（図示せず）を塗布し硬化することにより、発光素子１の上面の周縁部と接着する。また、このとき、放熱層４の両端部は、基板２の主面上において、放熱用ビア５とそれぞれ金属接合により固着する。
【００４７】
次に、図３（ｅ）に示すように、蛍光体を含有した樹脂を放熱層４の開口部４ａに充填して硬化することにより、該開口部４ａの内部に波長変換層３を形成する。
【００４８】
（第１の実施形態の製造方法の一変形例）
以下、第１の実施形態に係る発光装置の製造方法の一変形例について、図４（ａ）〜図４（ｄ）を参照しながら説明する。
【００４９】
本変形例に係る製造方法は、波長変換層３に無機材料を用いた構成である点が、図３に示した製造方法と異なる点である。
【００５０】
まず、図４（ａ）及び図４（ｂ）に示すように、第１の実施形態の製造方法と同様に、基板２の主面上に発光素子１を搭載した後、搭載された発光素子１の周囲に反射層６を形成する。
【００５１】
次に、図４（ｃ）に示すように、放熱層４の開口部４ａには、あらかじめ波長変換層３を接着しておく。その後、波長変換層３が開口部４ａに接着された状態の放熱層４を、発光素子１及び反射層６を覆うように、基板２の主面上に載置する。
【００５２】
次に、図４（ｄ）に示すように、放熱層４の下面と、波長変換層３及び放熱層４の開口部４ａの周縁部とを接着材で接着する。接着材には、例えば、シリコーン樹脂等の耐熱性及び耐光性に優れた熱硬化性樹脂等を用いることができる。
【００５３】
（第２の実施形態）
以下、第２の実施形態に係る発光装置について、図５（ａ）及び図５（ｂ）を参照しながら説明する。
【００５４】
図５（ａ）及び図５（ｂ）に示すように、第２の実施形態に係る発光装置は、放熱層４における発光素子１の側方の領域に、該発光素子１を挟むように２つの貫通孔４ｂが設けられている点が、第１の実施形態とは異なる。
【００５５】
本実施形態においては、放熱層４を基板２の上に発光素子１を覆うように接着した後に、貫通孔４ｂを用いて、反射層６の構成材料である反射粒子を含有した樹脂を注入することが可能となる。その結果、反射層６の形成が容易となり、製造方法の簡易化を図ることができる。このとき、貫通孔４ｂは、樹脂の注入時におけるボイドを防止するための空気孔としても機能する。
【００５６】
なお、本実施形態においては、２つの貫通孔４ｂを設けたが、貫通孔４ｂの個数は、設計仕様に応じて、適宜増減すればよい。
【００５７】
また、注入した樹脂は、貫通孔４ｂの内部にまで形成してもよく、さらには貫通孔４ｂから溢れて形成してもよい。このようにすると、樹脂と放熱層４との接触面積が増大するため、例えば、使用環境下において放熱層４が反射層６又は発光素子１の上面から外れてしまう等の不具合を防止できるので、放熱効果を維持することが可能となる。
【００５８】
（第２の実施形態の製造方法）
以下、第２の実施形態に係る発光装置の製造方法の一例について、図６（ａ）〜図６（ｅ）を参照しながら説明する。
【００５９】
まず、図６（ａ）及び図６（ｂ）に示すように、第１の実施形態の製造方法と同様に、複数の放熱用ビア５が設けられた基板２の主面上に発光素子１を搭載する。
【００６０】
次に、図６（ｃ）に示すように、基板２の上に、発光素子１の上面と対向する領域に開口部４ａを有する共に、発光素子１の外側でその表裏方向に貫通する貫通孔４ｂを設けた放熱層４を用意する。続いて、用意した放熱層４を、開口部４ａの周縁部が発光素子１の上面と接し且つ両端部が放熱用ビア５と接するように接着する。
【００６１】
次に、図６（ｄ）に示すように、放熱層４に設けられた貫通孔４ｂからディスペンサ９を用いて、反射粒子を含有した樹脂を充填する。
【００６２】
次に、図６（ｅ）に示すように、充填された樹脂を硬化させて、反射層６を形成する。このように、第２の実施形態によると、発光素子１の周囲に、該発光素子１の側面と密着し且つその上面と高さが揃った反射層６を容易に形成することができる。
【００６３】
（第３の実施形態）
以下、第３の実施形態に係る発光装置について、図７（ａ）及び図７（ｂ）を参照しながら説明する。
【００６４】
図７（ａ）及び図７（ｂ）に示すように、第３の実施形態に係る発光装置は、１つの基板２の主面上に、複数の発光素子１が互いに間隔をおいて行列状に配置されている。各発光素子１は、基板２の主面上にそれぞれバンプ７を介して実装されている。
【００６５】
複数の発光素子１を覆う放熱層４は、例えば１枚の金属板により形成されている。放熱層４には、各発光素子１の上面の周縁部を覆う複数の開口部４ａが設けられている。各開口部４ａには、波長変換層３がそれぞれ形成されている。放熱層４の両端部は、基板２に設けられた放熱用ビア５と金属接合により接続されている。
【００６６】
また、基板２の主面上における各発光素子１同士の間の領域には、反射層６が充填されて形成されている。
【００６７】
第３の実施形態に係る発光装置の製造方法は、複数の発光素子１を用意する点が異なるだけで、第１の実施形態に係る発光装置の製造方法と同様に行うことができる。
【００６８】
（第３の実施形態の第１変形例）
以下、第３の実施形態の第１変形例に係る発光装置について、図８（ａ）及び図８（ｂ）を参照しながら説明する。
【００６９】
図８（ａ）及び図８（ｂ）に示すように、第１変形例に係る発光装置は、第２の実施形態に係る発光装置と同様に、放熱層４における短辺側の端部と該端部側の発光素子１との間の領域、及び隣り合う発光素子１同士の間の領域に、それぞれ貫通孔４ｂが設けられている。
【００７０】
これにより、本変形例に係る発光装置は、その製造時に反射層６の形成が容易となる。また、必要であれば、ボイドの防止するための空気穴として、より多くの貫通孔８を設けてもよい。
【００７１】
第１変形例に係る発光装置の製造方法は、複数の発光素子１を用意する点が異なるだけで、第２の実施形態に係る発光装置の製造方法と同様に行うことができる。
【００７２】
（第３の実施形態の第２変形例）
以下、第３の実施形態の第２変形例に係る発光装置について、図９（ａ）及び図９（ｂ）を参照しながら説明する。
【００７３】
図９（ａ）及び図９（ｂ）に示すように、第２変形例に係る発光装置は、上記の第１変形例に係る構成に加え、基板２における各発光素子１同士の間で且つ貫通孔４ｂが形成される領域に、それぞれ放熱用ビア５が形成されている。
【００７４】
さらに、放熱層４は、各発光素子１同士の間に形成された放熱用ビア５とそれぞれ金属接合により接続されている。また、放熱層４における各発光素子１同士の間に形成された貫通孔４ｂは、放熱用ビア５を挟んでそれぞれ１つずつ設けられる。これにより、反射層６を構成する反射粒子を含有した樹脂を発光素子１の側面及び下面に充填することができる。
【００７５】
このように、本変形例に係る発光装置は、１枚の放熱層４と放熱用ビア５との接続箇所が放熱層４の両端部だけでなく、基板２の中央部分で複数箇所と接続されるため、基板２の下方への放熱特性が、より優れたパッケージ構造とすることができる。
【００７６】
第２変形例に係る発光装置の製造方法は、基板２に対して複数の放熱用ビア５を発光素子１の搭載位置の間にそれぞれ形成し、放熱層４を各放熱用ビア５と接続する形状とする点が異なるだけで、第１変形例に係る発光装置の製造方法と同様に行うことができる。
【００７７】
なお、上記の各実施形態及びその変形例に係る発光装置は一例に過ぎず、本発明の効果を得られる限りは、構成又はその構成部材を適宜変更してもよい。
【００７８】
また、上記の各実施形態及びその変形例においては、発光素子について記載したが、これに限られず、イメージセンサ等の受光素子又はレーザ素子等の放熱に課題を有する光学素子の全般に適用することができる。
【産業上の利用可能性】
【００７９】
本発明に係る発光装置及びその製造方法は、高放熱特性が求められる発光装置に有用である。
【符号の説明】
【００８０】
１    発光素子
２    基板
２ａ  ビアホール（貫通孔）
３    波長変換層
４    放熱層
４ａ  開口部
４ｂ  貫通孔
５    放熱用ビア
６    反射層
７    バンプ
９    ディスペンサ
【図１】
2014127679.tif 000003
【図２】
2014127679.tif 000004
【図３】
2014127679.tif 000005
【図４】
2014127679.tif 000006
【図５】
2014127679.tif 000007
【図６】
2014127679.tif 000008
【図７】
2014127679.tif 000009
【図８】
2014127679.tif 000010
【図９】
2014127679.tif 000011